(57)【要約】【課題】様々な形状および寸法の物品に共通して使用できる梱包材等を提供すること。【解決手段】梱包材１０は、有底の下箱２１と、前記下箱２１の底に保持された物品を覆う上箱１１と、筒型であり、軸方向に沿った折り目３８を有し、前記物品と前記上箱１１との間に前記折り目３８が前記物品の外面に沿う向きに配置される緩衝材３０とを備える。前記物品は表示部７１と、前記表示部の縁を覆う縁部７２とを有する表示装置７０であり、前記緩衝材３０は、前記表示装置７０の表示部７１に沿って配置される第１板と、前記第１板の縁に連続し、前記折り目３８を有する第２板と、前記第２板の縁に連続し、前記第１板と平行に配置された第３板と、前記第３板の縁および前記第１板の縁に連続し、前記第１板側に突出する突出部を有する第４板とを備える。【選択図】図１
2018131268.tif 000002
【特許請求の範囲】
【請求項１】
有底の下箱と、
前記下箱の底に保持された物品を覆う上箱と、
筒型であり、軸方向に沿った折り目を有し、前記物品と前記上箱との間に前記折り目が前記物品の外面に沿う向きに配置される緩衝材と
を備えることを特徴とする梱包材。
【請求項２】
前記折り目は、筒型の外向きに折れ曲がることを特徴とする
請求項１に記載の梱包材。
【請求項３】
前記物品は表示部と、前記表示部の縁を覆う縁部とを有する表示装置であり、
前記緩衝材は、
前記表示装置の表示部に沿って配置される第１板と、
前記第１板の縁に連続し、前記折り目を有する第２板と、
前記第２板の縁に連続し、前記第１板と平行に配置された第３板と、
前記第３板の縁および前記第１板の縁に連続し、前記第１板側に突出する突出部を有する第４板と
を備えることを特徴とする請求項１または請求項２に記載の梱包材。
【請求項４】
前記緩衝材は、前記第１板に重ねて配置され、前記第１板と前記第２板との接続部の外側に延在する第５板を備えることを特徴とする
請求項３に記載の梱包材。
【請求項５】
２個の前記緩衝材を備え、
前記緩衝材は、前記突出部により前記表示部を挟むように配置されることを特徴とする
請求項３または請求項４に記載の梱包材。
【請求項６】
筒型で軸方向に沿った折り目を有する緩衝材が、前記折り目を表面に沿う向きにして配置された表示部と、
前記表示部の縁を覆い、有底の下箱に保持された縁部とを有し、
前記緩衝材の外側から有底の上箱に覆われていることを特徴とする表示装置。
【請求項７】
請求項６に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【請求項８】
有底の下箱の底に物品を保持し、
山型に屈曲する折り目を備える筒型の緩衝材を、前記折り目を前記物品の外面に沿う向きにして前記物品の外面に配置し、
前記物品と前記緩衝材とを覆う上箱をかぶせることを特徴とする
梱包方法。
【発明の詳細な説明】
【技術分野】
【０００１】
本発明は、梱包材、表示装置、テレビジョン受信機および梱包方法に関する。
【背景技術】
【０００２】
映像を表示する表示パネルを備える薄型の表示装置が使用されている。この種の表示装置は、輸送中の振動、転倒、落下等による表示装置の損傷を防ぐために、輸送用の箱、および、箱と表示装置との間に入れる緩衝材等を組み合わせた梱包材に梱包した状態で出荷される（特許文献１）。
【先行技術文献】
【特許文献】
【０００３】
【特許文献１】特開２０１０−３０６３６号公報
【発明の概要】
【発明が解決しようとする課題】
【０００４】
緩衝材には、それぞれの表示装置の形状および寸法に合わせて成型された複数の発泡スチロール製ブロックが使用される場合が多い。表示装置以外にも、種々の形状および寸法の物品が、それぞれに適した梱包材に梱包した状態で輸送される。
【０００５】
一つの側面では、様々な形状および寸法の物品に共通して使用できる梱包材等を提供することを目的とする。
【課題を解決するための手段】
【０００６】
本発明にかかる梱包材は、有底の下箱と、前記下箱の底に保持された物品を覆う上箱と、筒型であり、軸方向に沿った折り目を有し、前記物品と前記上箱との間に前記折り目が前記物品の外面に沿う向きに配置される緩衝材とを備えることを特徴とする。
【０００７】
本発明にかかる梱包材は、前記折り目は、筒型の外向きに折れ曲がることを特徴とする。
【０００８】
本発明にかかる梱包材は、前記物品は表示部と、前記表示部の縁を覆う縁部とを有する表示装置であり、前記緩衝材は、前記表示装置の表示部に沿って配置される第１板と、前記第１板の縁に連続し、前記折り目を有する第２板と、前記第２板の縁に連続し、前記第１板と平行に配置された第３板と、前記第３板の縁および前記第１板の縁に連続し、前記第１板側に突出する突出部を有する第４板とを備えることを特徴とする。
【０００９】
本発明にかかる梱包材は、前記緩衝材は、前記第１板に重ねて配置され、前記第１板と前記第２板との接続部の外側に延在する第５板を備えることを特徴とする。
【００１０】
本発明にかかる梱包材は、２個の前記緩衝材を備え、前記緩衝材は、前記突出部により前記表示部を挟むように配置されることを特徴とする。
【００１１】
本発明にかかる表示装置は、筒型で軸方向に沿った折り目を有する緩衝材が、前記折り目を表面に沿う向きにして配置された表示部と、前記表示部の縁を覆い、有底の下箱に保持された縁部とを有し、前記緩衝材の外側から有底の上箱に覆われていることを特徴とする。
【００１２】
本発明にかかるテレビジョン受信機は、前述の表示装置と、テレビジョン放送を受信する受信部とを備え、前記受信部にて受信したテレビジョン放送に基づいて、前記表示装置に映像を表示するようにしてあることを特徴とする。
【００１３】
本発明にかかる梱包方法は、有底の下箱の底に物品を保持し、山型に屈曲する折り目を備える筒型の緩衝材を、前記折り目を前記物品の外面に沿う向きにして前記物品の外面に配置し、前記物品と前記緩衝材とを覆う上箱をかぶせることを特徴とする。
【発明の効果】
【００１４】
一つの側面では、様々な形状および寸法の物品に共通して使用できる梱包材等を提供することが可能となる。
【図面の簡単な説明】
【００１５】
【図１】梱包材の構成を示す分解斜視図である。
【図２】緩衝材の斜視図である。
【図３】緩衝材の斜視図である。
【図４】緩衝材の展開図である。
【図５】表示装置を梱包した梱包材の断面図である。
【図６】図５中のＡ部の拡大図である。
【図７】緩衝材の変形を説明する説明図である。
【図８】実施の形態２の緩衝材の斜視図である。
【図９】実施の形態２の緩衝材の展開図である。
【図１０】実施の形態２の表示装置を梱包した梱包材の部分断面図である。
【図１１】実施の形態３の梱包状態を示す説明図である。
【図１２】実施の形態３の緩衝材の斜視図である。
【図１３】実施の形態３の緩衝材の展開図である。
【図１４】実施の形態４の緩衝材の斜視図である。
【図１５】実施の形態５の緩衝材の斜視図である。
【図１６】実施の形態６の緩衝材の斜視図である。
【図１７】実施の形態６の緩衝材の斜視図である。
【図１８】実施の形態６の緩衝材の展開図である。
【図１９】実施の形態６の表示装置および緩衝材の配置を示す説明図である。
【図２０】実施の形態６の表示装置および緩衝材の配置を示す説明図である。
【図２１】実施の形態６の表示装置および緩衝材の側面図である。
【図２２】実施の形態７の緩衝材の斜視図である。
【図２３】実施の形態７の緩衝材の展開図である。
【発明を実施するための形態】
【００１６】
［実施の形態１］
図１は、梱包材の構成を示す分解斜視図である。以下の説明では、各図中に矢印で示す前、後、左、右、上および下のそれぞれの向きを使用する。本実施の形態の梱包材１０は、図中に二点鎖線で示す薄型の表示装置７０の梱包に使用される。
【００１７】
梱包材１０は、上箱１１、下箱２１および２個の緩衝材３０を含む。下箱２１は、長方形の底の２つの長辺からそれぞれ立ち上がる長側壁２２１、および、２つの短辺からそれぞれ立ち上がる短側壁２２２を有する段ボール製の箱である。なお、図１においては、前側の長側壁２２１および右側の短側壁２２２を示し、後側の長側壁２２１および左側の短側壁２２２は図示を省略する。
【００１８】
前側の長側壁２２１には、４個の下固定孔２９が設けられている。図示を省略した後側の長側壁２２１にも同様に、４個の下固定孔２９が設けられている。
【００１９】
下箱２１には、左右両側にブロック状の下側保持体４２がはめこまれている。下側保持体４２は発泡スチロール製であり、表示装置７０の下部の形状に合わせて窪みが設けてある。なお、左右の下側保持体４２は、一体に形成されていても良い。
【００２０】
薄くて柔軟な保護袋４３（図６参照）に包まれた表示装置７０が、下側保持体４２を介して下箱２１に保持されている。保護袋４３は、表示装置７０の表面が、段ボール等と擦れて傷つくことを防止する。
【００２１】
上箱１１は、前壁１２、右壁１４、後壁１３および左壁１５により四方を囲まれた段ボール製の箱である。上箱１１の上側は、上蓋１７により開閉自在に覆われている。上蓋１７は前壁１２および後壁１３のそれぞれの上側に連続して設けられている。図１では、上蓋１７は開いた状態と閉じた状態の中間の状態で示されている。前壁１２および後壁１３には、下固定孔２９と対応する位置に上固定孔１９が設けられている。
【００２２】
保護袋４３で覆われた表示部７１の左右に、緩衝材３０が固定テープ４４により固定されている。なお、緩衝材３０は固定テープ４４の代わりにたとえば接着材等により固定されていても良い。緩衝材３０の形状の詳細については後述する。
【００２３】
上箱１１は、下箱２１に上側からかぶせられる。上固定孔１９、下固定孔２９および下側保持体４２の対応する位置に設けられた孔に固定具４１が挿入される。以上により、下箱２１と上箱１１とが連結される。
【００２４】
上箱１１の上部から、表示装置７０を床の上等に支持するスタンド、表示装置７０の取扱説明書、およびケーブル等の付属品、ならびに、これらの付属品を所定の位置に保持する上側保持体が、所定の位置に配置される。その後、上蓋１７が閉じられて、テープ等により固定される。
【００２５】
以上のようにして、梱包材１０に梱包された表示装置７０は、たとえば右壁１４および左壁１５に設けられた持ち手孔１８を利用して運搬することができる。
【００２６】
図２および図３は、緩衝材３０の斜視図である。図４は、緩衝材３０の展開図である。図４において、一点鎖線は山折線を示す。山折線は、段ボール板の目方向、すなわち段ボール板が中芯の波目に沿って容易に折れ曲がる方向と直交する方向に設けられている。図２から図４を使用して、緩衝材３０の構造を説明する。
【００２７】
緩衝材３０は、第１板３１、第２板３２、第３板３３および第４板３４を有する。第１板３１は長方形であり、第１辺が第２板３２に連続している。
【００２８】
第２板３２は長方形であり、第１の長辺が第１板３１に、第２の長辺が第３板３３にそれぞれ連続している。第２板３２は、２つの長辺の略中央に設けられた、長辺に平行な折り目３８により、山折りされている。第３板３３は、第１板３１と略同一形状であり、第１辺が第２板３２に、第１辺と平行な第２辺が第４板３４にそれぞれ連続している。第３板３３と第１板３１とは、略平行をなして対向している。
【００２９】
第４板３４は、第２板３２の長辺と同じ長さの長辺と、第２板３２の短辺よりも長い短辺とを有する長方形である。第４板３４は、第１の長辺で第３板３３に連続している。
【００３０】
第１板３１の、前述の第１辺と向かい合う第２辺に、長方形の重ね板３９が連続している。第４板３４の第１の長辺側の部分は、重ね板３９と重ね合わされて接合する接合部３４２として使用される。
【００３１】
第１板３１、第２板３２、第３板３３および接合部３４２は五角形筒型を形成する。第４板３４の第２の長辺側の部分は、五角形筒型の外に突出する突出部３４１を形成する。第４板３４は、第１板３１および第３板３３と略垂直をなす。
【００３２】
緩衝材３０は、長方形の段ボールを図４に示すように短辺に並行な５本の山折線により、略五角形筒型に折り曲げて製作されている。重ね板３９と接合部３４２とは、両面テープ、接着剤またはステープラ等により接合される。
【００３３】
図１に戻り、緩衝材３０を取り付ける位置について説明する。図１の下側に示すように、下箱２１の左右両側にブロック状の下側保持体４２をはめこむ。保護袋４３に包んだ表示装置７０を、下側保持体４２を介して下箱２１に保持する。
【００３４】
一個の緩衝材３０を、軸を上下方向に、第１板３１を表示部７１に、突出部３４１を表示部７１の周縁部を覆う縁部７２にそれぞれ向けた状態で一方の下側保持体４２の上に配置し、固定テープ４４により固定する。以上により、折り目３８は、表示部７１の表面に沿う向きになる。
【００３５】
折り目３８同士が向かい合うようにして、もう一個の緩衝材３０を、同様に他方の下側保持体４２の上に配置し、固定テープ４４により固定する。以上により、二つの緩衝材３０の突出部３４１は、表示装置７０を挟んで位置する。
【００３６】
その後、前述のとおり上箱１１がかぶせられて、上側保持体および付属品が同梱される。なお、緩衝材３０の上下方向の寸法は、緩衝材３０と下側保持体４２との間、および、緩衝材３０と上側保持体との間の少なくとも一方に、数ミリメートル以上の隙間ができる寸法にする。
【００３７】
図５は、表示装置７０を梱包した梱包材１０の断面図である。図５は、緩衝材３０を含む位置で、上下方向に対して垂直な面により梱包材１０および表示装置７０を切断した断面を示す。図６は、図５中のＡ部の拡大図である。なお、図５および図６においては下側保持体４２、および下箱２１は図示を省略する。
【００３８】
表示装置７０は液晶表示パネル等の表示部７１を前側に備える。表示装置７０は、たとえば発泡ポリエチレン製の薄くて柔軟な保護袋４３に包まれている。表示装置７０の左右に緩衝材３０が１個ずつ配置されている。左右の緩衝材３０は同一形状の部品である。
【００３９】
第１板３１は、保護袋４３を介して表示部７１に当接し、第２板３２に近い部分で固定テープ４４により固定される。第３板３３は、上箱１１の前壁１２に当接または近接する。突出部３４１は、保護袋４３を介して縁部７２の左側の面と上箱１１の左壁１５との間に配置される。したがって、折り目３８は表示部７１の表面に沿って位置する。
【００４０】
図７は、緩衝材３０の変形を説明する説明図である。輸送中の表示装置７０および梱包材１０には、振動、転倒、落下等により様々な外力が加わる。図７は、外力により表示部７１と上箱１１の前壁１２とが近付く向きに変形した状態を模式的に示す。
【００４１】
上箱１１の左壁１５近傍では、接合部３４２および重ね板３９により、上箱１１の前壁１２の変形が防止される。外力は縁部７２に加わり、縁部７２近傍の表示部７１に強い外力が加わることが防止される。
【００４２】
上箱１１の左壁１５から離れた位置においては、外力により、上箱１１の前壁１２と表示部７１との間の距離が小さくなる。折り目３８の角度が小さくなりながら、緩衝材３０が外力を吸収し、表示部７１に急激な外力が加わることを防止する。以上により、表示部７１が外力により損傷することを防止できる。外力が無くなったのち、段ボールの弾性により緩衝材３０は図６の状態に戻る。
【００４３】
本実施の形態によると、長方形の段ボール板を目方向と直交する線に沿って折り曲げることにより緩衝材３０を製作することが可能である。折り曲げ部は、すべて山折りであるので、折り曲げ作業が容易である。
【００４４】
表示部７１と上箱１１の前壁１２との間の距離を同一にすれば、その他の部分の形状および寸法が異なる様々な機種の表示装置７０に共通に使用することが可能な緩衝材３０を提供することが可能である。段ボール製であるので、リサイクルが容易な緩衝材３０を提供することが可能である。
【００４５】
なお、緩衝材３０はボール紙、樹脂等、段ボール以外の材料製の板により製作されても良い。緩衝材３０は、樹脂の射出成型または押出成型等により製作されても良い。
【００４６】
梱包する物品は、表示装置７０に限定しない。たとえば、オーブンレンジ、パソコン等、外装に平面の部分を有する任意の物品の梱包に、梱包材１０を使用することが可能である。
【００４７】
［実施の形態２］
本実施の形態２は、両面テープ等を使わずに組み立てることが可能な緩衝材３０を備える梱包材１０に関する。実施の形態１と共通する部分については、説明を省略する。
【００４８】
図８は、実施の形態２の緩衝材３０の斜視図である。図９は、実施の形態２の緩衝材３０の展開図である。本実施の形態の緩衝材３０は、第１板３１の重ね板３９側の縁に、先端に抜け止めを有する差込部５１を２個備える。差込部５１は、図９に実線で示す部分を切り起こして形成することができる。差込部５１は、第４板３４に設けられた長方形の差込孔５２に挿入されている。
【００４９】
図１０は、実施の形態２の表示装置７０を梱包した梱包材１０の部分断面図である。差込部５１の先端は、左壁１５に突き当てられている。なお、第４板３４と左壁１５との間に段ボール板等を挿入することにより、左右方向の外力に対する緩衝効果を高めても良い。
【００５０】
本実施の形態によると、両面テープ等を使用せずに、重ね板３９と第４板３４とが重ねあわされた状態を保持する緩衝材３０を提供することができる。両面テープ等を使用しないので、リサイクルを容易に行うことが可能である。
【００５１】
本実施の形態によると、緩衝材３０を平板の状態で保存しておき、必要に応じて差込部５１を差込孔５２に挿入して組み立てることが可能である。緩衝材３０を平板の状態で保存することにより、保管場所を節約することができる。
【００５２】
［実施の形態３］
本実施の形態は、表示部７１の損傷を防止する効果が高い緩衝材３０を備える梱包材１０に関する。実施の形態２と共通する部分については、説明を省略する。
【００５３】
図１１は、実施の形態３の梱包状態を示す説明図である。本実施の形態においては、梱包材１０により梱包される物品は、表示装置７０の内部にテレビジョン放送を受信する受信部７５を有するテレビジョン受信機７６である。表示部７１は、受信部７５が受信したテレビジョン放送を表示する。
【００５４】
図１２は、実施の形態３の緩衝材３０の斜視図である。図１３は、実施の形態３の緩衝材３０の展開図である。図１３において、一点鎖線は山折線を示し、破線は谷折線を示す。本実施の形態の緩衝材３０は、第１板３１の外側に第１板３１よりも第２板３２側に突出する第５板３５を有する。
【００５５】
第５板３５は、図１３に示す展開図において短辺方向に開口を向けて対向する２個の略Ｕ字型の切りこみにより形成された、２個の折込部５３を有する。第１板３１は、折込部５３と対応する位置に、折込部５３よりも若干大きい２個の折込孔５４を有する。２個の折込部５３が、折込孔５４の内部に折り込まれている。
【００５６】
緩衝材３０は、図１３に示すように差込部５１、差込孔５２、折込部５３および折込孔５４をそれぞれ２個有する長方形の段ボールを、６箇所で山折り、１箇所で谷折りして製作される。
【００５７】
図１１に戻って、本実施の形態の緩衝材３０の配置について説明する。緩衝材３０は、第１板３１と保護袋４３で包まれたテレビジョン受信機７６との間に第５板３５が介在するように配置される。本実施の形態においては、図１１に示すように、第５板３５の先端と保護袋４３に包まれた表示部７１とにわたって固定テープ４４を貼付することが可能である。固定テープ４４は、実施の形態１と同様の位置に固定しても良い。
【００５８】
本実施の形態によると、外力の影響が第５板３５により分散するので、表示部７１の損傷をより確実に防止できる緩衝材３０を提供することができる。
【００５９】
［実施の形態４］
本実施の形態は、折り目３８が内側に折り曲げられた緩衝材３０を備える梱包材１０に関する。実施の形態３と共通する部分については、説明を省略する。
【００６０】
図１４は、実施の形態４の緩衝材３０の斜視図である。折り目３８は、緩衝材３０の筒部の内側に向けて折り曲げられている。
【００６１】
本実施の形態によると、図１３を使用して説明した実施の形態３の段ボール板を用いて、外力により押された場合の弾性が異なる緩衝材３０を提供することが可能である。表示装置７０の質量、剛性および輸送条件等に応じて、折り目３８の折り曲げ方向を選択することにより、表示装置７０の損傷を効果的に防止する梱包材１０を提供することが可能である。
【００６２】
［実施の形態５］
本実施の形態は、複数の折り目３８を有する緩衝材３０を備える梱包材１０に関する。実施の形態１と共通する部分については、説明を省略する。
【００６３】
図１５は、実施の形態５の緩衝材３０の斜視図である。第２板３２は、平行に並んだ２本の折り目３８を有する。なお、第２板３２は、３本以上の折り目３８を有しても良い。３本以上の折り目３８は、山折りと谷折りを交互にした蛇腹状に折りまげられても良い。
【００６４】
［実施の形態６］
本実施の形態は、表示装置７０の上部を保護する緩衝材３０を備える梱包材１０に関する。実施の形態１と共通する部分については、説明を省略する。
【００６５】
図１６および図１７は、実施の形態６の緩衝材３０の斜視図である。図１８は、実施の形態６の緩衝材３０の展開図である。図１８において、一点鎖線は山折線を示す。山折線は、段ボール板の目方向と直交する方向に設けられている。
【００６６】
本実施の形態の緩衝材３０は、第３板３３に連続する長辺とは反対の長辺の両端部で第４板３４に連続する、２枚の第６板３６を有する。第６板３６は長方形であり、第３板３３と同じ側に折り曲げられている。
【００６７】
それぞれの第６板３６は、先端に抜け止めを有する差込部５１を備える。差込部５１は、図１８に実線で示す部分を切り起こして形成することができる。差込部５１は、第４板３４に設けられた長方形の差込孔５２に挿入されている。
【００６８】
図１９および図２０は、実施の形態６の表示装置７０および緩衝材３０の配置を示す説明図である。表示装置７０の上側には、左右両側にブロック状の上側保持体４５がはめこまれている。上側保持体４５は発泡スチロール製であり、表示装置７０の上部の形状に合わせて窪みが設けてある。左右の上側保持体４５の間に、緩衝材３０が配置されている。
【００６９】
緩衝材３０の長さは、左右の上側保持体４５の間の間隔に比べて若干短く、緩衝材３０と上側保持体４５とにより、表示部７１の上辺の大半を覆うことができる。なお、図示を省略するが、表示装置７０の左右には、実施の形態１から４で説明した緩衝材３０が配置される。
【００７０】
図２１は、実施の形態６の表示装置７０および緩衝材３０の側面図である。緩衝材３０は、第１板３１、第４板３４および第６板３６により形成された略Ｕ字型の溝を表示装置７０の上縁に引っ掛けて配置されている。緩衝材３０の上から、上箱１１をかぶせることにより、緩衝材３０の第３板３３の外面と上箱１１の前壁１２の内面とが当接して、緩衝材３０を固定する。
【００７１】
本実施の形態によると、表示装置７０の上部を保護する緩衝材３０を提供できる。本実施の形態の緩衝材３０は、第１板３１、第４板３４および第６板３６により形成された略Ｕ字型の溝を備え、表示装置７０の上縁に容易に載せられるので、粘着テープ等を用いて固定する必要がない。粘着テープ等を用いて固定する場合であっても、緩衝材３０を支える必要がないので、固定作業を容易に行える。
【００７２】
第６板３６が２枚に分かれているので、第６板３６を一枚づつ折り曲げて、差込部５１を差込孔５２に差し込んで固定することができる。そのため、組立が容易な緩衝材３０を提供できる。
【００７３】
上部と下部との厚さが略等しい薄型の表示装置７０を梱包する場合には、表示装置７０の左右にも本実施の形態の緩衝材３０を使用しても良い。
【００７４】
［実施の形態７］
本実施の形態は、表示装置７０の上部を保護する小型の緩衝材３０を備える梱包材１０に関する。実施の形態６と共通する部分については、説明を省略する。
【００７５】
図２２は、実施の形態７の緩衝材３０の斜視図である。図２３は、実施の形態７の緩衝材３０の展開図である。図２３において、一点鎖線は山折線を示す。山折線は、段ボール板の目方向と直交する方向に設けられている。
【００７６】
本実施の形態の緩衝材３０は、第３板３３に連続する辺とは反対の辺の全体で第４板３４に連続する、第６板３６を有する。第６板３６の中央部に加えて、第１板３１の重ね板３９側の縁にも、先端に抜け止めを有する差込部５１を備える。第１板３１の縁の差込部５１は、第４板３４の中央部に設けられた長方形の差込孔５２に挿入されている。
【００７７】
本実施の形態によると、上側保持体４５間の間隔に応じて、適宜の数の緩衝材３０を使用することにより、様々な大きさの表示装置７０に共通して使用できる緩衝材３０を提供できる。本実施の形態によると、接着剤等を使用せずに容易に組立可能な緩衝材３０を提供できる。
【００７８】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００７９】
以上のように、本発明にかかる梱包材１０は、有底の下箱２１と、前記下箱２１の底に保持された物品を覆う上箱１１と、筒型であり、軸方向に沿った折り目３８を有し、前記物品と前記上箱１１との間に前記折り目３８が前記物品の外面に沿う向きに配置される緩衝材３０とを備えることを特徴とする。
【００８０】
本発明にあっては、様々な形状および寸法の物品に共通して使用できる梱包材１０を提供することができる。
【００８１】
本発明にかかる梱包材１０は、前記折り目３８は、筒型の外向きに折れ曲がることを特徴とする。
【００８２】
本発明にあっては、折り曲げ作業が容易な緩衝材３０を提供することが可能である。
【００８３】
本発明にかかる梱包材１０は、前記物品は表示部７１と、前記表示部７１の縁を覆う縁部７２とを有する表示装置７０であり、前記緩衝材３０は、前記表示装置７０の表示部７１に沿って配置される第１板３１と、前記第１板３１の縁に連続し、前記折り目３８を有する第２板３２と、前記第２板３２の縁に連続し、前記第１板３１と平行に配置された第３板３３と、前記第３板３３の縁および前記第１板３１の縁に連続し、前記第１板３１側に突出する突出部３４１を有する第４板３４とを備えることを特徴とする。
【００８４】
本発明にあっては、表示部７１と上箱１１の前壁１２との間の距離を同一にすれば、その他の部分の形状および寸法が異なる様々な機種の表示装置７０に共通に使用することが可能な緩衝材３０を提供することが可能である。
【００８５】
本発明にかかる梱包材１０は、前記緩衝材３０は、前記第１板３１に重ねて配置され、前記第１板３１と前記第２板３２との接続部の外側に延在する第５板３５を備えることを特徴とする。
【００８６】
本発明にあっては、外力の影響が第５板３５により分散するので、表示部７１の損傷をより確実に防止する緩衝材３０を提供することができる。
【００８７】
本発明にかかる梱包材１０は、２個の前記緩衝材３０を備え、前記緩衝材３０は、前記突出部３４１により前記表示部７１を挟むように配置されることを特徴とする。
【００８８】
本発明にあっては、表示部７１の両側に沿って緩衝材３０を配置することにより、表示部７１の損傷を防止する緩衝材３０を提供することができる。
【００８９】
本発明にかかる表示装置７０は、筒型で軸方向に沿った折り目３８を有する緩衝材３０が、前記折り目３８を表面に沿う向きにして配置された表示部７１と、前記表示部７１の縁を覆い、有底の下箱２１に保持された縁部７２とを有し、前記緩衝材３０の外側から有底の上箱１１に覆われていることを特徴とする。
【００９０】
本発明にあっては、緩衝材３０を複数の機種で流用可能な表示装置７０を提供することが可能である。
【００９１】
本発明にかかるテレビジョン受信機７６は、前述の表示装置７０と、テレビジョン放送を受信する受信部７５とを備え、前記受信部７５にて受信したテレビジョン放送に基づいて、前記表示装置７０に映像を表示するようにしてあることを特徴とする。
【００９２】
本発明にあっては、緩衝材３０を複数の機種で流用可能なテレビジョン受信機７６を提供することが可能である。
【００９３】
本発明にかかる梱包方法は、有底の下箱２１の底に物品を保持し、山型に屈曲する折り目３８を備える筒型の緩衝材３０を、前記折り目３８を前記物品の外面に沿う向きにして前記物品の外面に配置し、前記物品と前記緩衝材３０とを覆う上箱１１をかぶせることを特徴とする。
【００９４】
本発明にあっては、様々な形状および寸法の物品に共通の梱包材１０を使用する梱包方法等を提供することができる。
【符号の説明】
【００９５】
１０  梱包材
１１  上箱
１２  前壁
１３  後壁
１４  右壁
１５  左壁
１７  上蓋
１８  持ち手孔
１９  上固定孔
２１  下箱
２２１  長側壁
２２２  短側壁
２９  下固定孔
３０  緩衝材
３１  第１板
３２  第２板
３３  第３板
３４  第４板
３４１  突出部
３４２  接合部
３５  第５板
３６  第６板
３８  折り目
３９  重ね板
４１  固定具
４２  下側保持体
４３  保護袋
４４  固定テープ
４５  上側保持体
５１  差込部
５２  差込孔
５３  折込部
５４  折込孔
７０  表示装置
７１  表示部
７２  縁部
７５  受信部
７６  テレビジョン受信機
【図１】
2018131268.tif 000003
【図２】
2018131268.tif 000004
【図３】
2018131268.tif 000005
【図４】
2018131268.tif 000006
【図５】
2018131268.tif 000007
【図６】
2018131268.tif 000008
【図７】
2018131268.tif 000009
【図８】
2018131268.tif 000010
【図９】
2018131268.tif 000011
【図１０】
2018131268.tif 000012
【図１１】
2018131268.tif 000013
【図１２】
2018131268.tif 000014
【図１３】
2018131268.tif 000015
【図１４】
2018131268.tif 000016
【図１５】
2018131268.tif 000017
【図１６】
2018131268.tif 000018
【図１７】
2018131268.tif 000019
【図１８】
2018131268.tif 000020
【図１９】
2018131268.tif 000021
【図２０】
2018131268.tif 000022
【図２１】
2018131268.tif 000023
【図２２】
2018131268.tif 000024
【図２３】
2018131268.tif 000025